(57)【要約】      （修正有）【課題】屋外等に設置しても雨水等が浸入するのを防止できると共に簡単に連結できる防水ピンジャックコネクタを提供する。【解決手段】防水ピンジャックコネクタ１０はピンジャック本体１２とピンプラグ本体１４を備えている。ピンジャック本体１２のピンジャックカバー１６の先端面１８にはピンジャック収容部が形成されている。ピンジャックカバー１６の先端部にはオネジ部２２が形成されている。ピンジャック収容部にはピンジャック２４が設けられている。ピンジャック２４の先端面にはピンプラグ挿入部が形成されている。ピンプラグ本体１４のピンプラグカバー３０の先端面にはＯリング３６が設けられている。ピンプラグカバー３０の先端面にはピンプラグ４４が設けられている。ピンプラグカバー３０には筒状の連結固定キャップ５０が長手方向移動可能に取り付けられている。【選択図】図１
0003144613.tif 000002
【実用新案登録請求の範囲】
【請求項１】
ピンジャック本体と、ピンプラグ本体を備えてなる防水ピンジャックコネクタであって、前記ピンジャック本体のピンジャックカバーと、このピンジャックカバーの先端面に形成されたピンジャック収容部と、前記ピンジャックカバーの先端部に形成されたオネジ部と、前記ピンジャック収容部に収容されるピンジャックと、このピンジャックの先端面に形成されたピンプラグ挿入部と、前記ピンプラグ本体のピンプラグカバーと、このピンプラグカバーの先端面に形成されたシール部材取付部と、このシール部材取付部に取り付けられたシール部材と、前記ピンプラグカバーの先端面に形成されたピンプラグ収容部と、このピンプラグ収容孔に収容されたピンプラグと、前記ピンプラグカバーの外側に移動可能に取り付けられた連結固定キャップと、この連結固定キャップに貫通形成されると共に前記オネジ部と螺合可能なメネジ部と、を有してなることを特徴とする防水ピンジャックコネクタ。
【請求項２】
ピンジャック本体と、ピンプラグ本体を備えてなる防水ピンジャックコネクタであって、前記ピンジャック本体のピンジャックカバーと、このピンジャックカバーの先端面に形成されたピンジャック収容部と、前記ピンジャックカバーの先端部に形成されたオネジ部と、前記ピンジャック収容部に収容されるピンジャックと、このピンジャックの先端面に形成されたピンプラグ挿入部と、前記ピンプラグ本体のピンプラグカバーと、このピンプラグカバーの先端面に形成されたシール部材取付部と、このシール部材取付部に取り付けられたシール部材と、前記ピンプラグカバーの外周に形成された第１連結固定キャップストッパーと、前記ピンプラグカバーの外周に形成された第２連結固定キャップストッパーと、前記ピンプラグカバーの先端面に形成されたピンプラグ収容部と、このピンプラグ収容孔に収容されたピンプラグと、前記ピンプラグカバーの外側に前記第１連結固定キャップストッパーと第２連結固定キャップストッパーに挟まれて移動可能に取り付けられた連結固定キャップと、この連結固定キャップに貫通形成されると共に前記オネジブと螺合可能なメネジ部と、を有してなることを特徴とする防水ピンジャックコネクタ。
【請求項３】
ピンジャック本体と、ピンプラグ本体を備えてなる防水ピンジャックコネクタであって、前記ピンジャック本体を構成すると共に合成樹脂剤で形成されたピンジャックカバーと、このピンジャックカバーの先端面に形成されたピンジャック収容部と、前記ピンジャックカバーの先端部に形成されたオネジ部と、前記ピンジャック収容部に収容されるピンジャックと、このピンジャックの先端面に１個形成されたピンプラグ挿入部と、前記ピンプラグ本体を構成すると共に合成樹脂剤で形成されたピンプラグカバーと、このピンプラグカバーの先端面に形成されたＯリング取付突起と、このＯリング取付突起に外装されたＯリングと、前記ピンプラグカバーの先端部外周に形成された第１連結固定キャップストッパーと、前記ピンプラグカバーの中間部外周に形成された第２連結固定キャップストッパーと、前記ピンプラグカバーの先端面に形成されたピンプラグ収容部と、このピンプラグ収容孔に収容された１個のピンプラグと、前記ピンプラグカバーの外側に前記第１連結固定キャップストッパーと第２連結固定キャップストッパーに挟まれた状態で移動可能に取り付けられた連結固定キャップと、この連結固定キャップに貫通形成されると共に前記オネジ部と螺合可能なメネジ部と、を有してなることを特徴とする防水ピンジャックコネクタ。
【考案の詳細な説明】
【技術分野】
【０００１】
本考案は、ケーブル等を接続する場合等に使用されるピンジャックコネクタに関し、詳しくは雨水等の浸入を防ぐことができる防水ピンジャックコネクタに関する。
【背景技術】
【０００２】
ケーブルとケーブルを接続する場合等にはピンジャックコネクタを使用してケーブルとケーブルを連結する場合がある。
しかし、従来のピンジャックコネクタは一方のケーブルの端部に取り付けられたピンジャックに他方のケーブルの端部に取り付けられたピンプラグを差し込むだけの構造である。
このため、ピンジャックコネクタを屋外等で使用して雨等が降ると前記ピンジャックとピンプラグとの間から雨水等が浸入してしまい、ショート等の原因になるという不具合が有る。
【考案の開示】
【考案が解決しようとする課題】
【０００３】
本考案は、上記事実に鑑みなされたものであり屋外等に設置しても雨水等が浸入するのを防止できると共に簡単に連結できる防水ピンジャックコネクタを提供するものである。
【課題を解決するための手段】
【０００４】
請求項１の考案は、ピンジャック本体と、ピンプラグ本体を備えてなる防水ピンジャックコネクタであって、前記ピンジャック本体のピンジャックカバーと、このピンジャックカバーの先端面に形成されたピンジャック収容部と、前記ピンジャックカバーの先端部に形成されたオネジ部と、前記ピンジャック収容部に収容されるピンジャックと、このピンジャックの先端面に形成されたピンプラグ挿入部と、前記ピンプラグ本体のピンプラグカバーと、このピンプラグカバーの先端面に形成されたシール部材取付部と、このシール部材取付部に取り付けられたシール部材と、前記ピンプラグカバーの先端面に形成されたピンプラグ収容部と、このピンプラグ収容孔に収容されたピンプラグと、前記ピンプラグカバーの外側に移動可能に取り付けられた連結固定キャップと、この連結固定キャップに貫通形成されると共に前記オネジ部と螺合可能なメネジ部と、を有してなることを特徴としている。
請求項２の考案は、ピンジャック本体と、ピンプラグ本体を備えてなる防水ピンジャックコネクタであって、前記ピンジャック本体のピンジャックカバーと、このピンジャックカバーの先端面に形成されたピンジャック収容部と、前記ピンジャックカバーの先端部に形成されたオネジ部と、前記ピンジャック収容部に収容されるピンジャックと、このピンジャックの先端面に形成されたピンプラグ挿入部と、前記ピンプラグ本体のピンプラグカバーと、このピンプラグカバーの先端面に形成されたシール部材取付部と、このシール部材取付部に取り付けられたシール部材と、前記ピンプラグカバーの外周に形成された第１連結固定キャップストッパーと、前記ピンプラグカバーの外周に形成された第２連結固定キャップストッパーと、前記ピンプラグカバーの先端面に形成されたピンプラグ収容部と、このピンプラグ収容孔に収容されたピンプラグと、前記ピンプラグカバーの外側に前記第１連結固定キャップストッパーと第２連結固定キャップストッパーに挟まれて移動可能に取り付けられた連結固定キャップと、この連結固定キャップに貫通形成されると共に前記オネジブと螺合可能なメネジ部と、を有してなることを特徴としている。
請求項３の考案は、ピンジャック本体と、ピンプラグ本体を備えてなる防水ピンジャックコネクタであって、前記ピンジャック本体を構成すると共に合成樹脂剤で形成されたピンジャックカバーと、このピンジャックカバーの先端面に形成されたピンジャック収容部と、前記ピンジャックカバーの先端部に形成されたオネジ部と、前記ピンジャック収容部に収容されるピンジャックと、このピンジャックの先端面に１個形成されたピンプラグ挿入部と、前記ピンプラグ本体を構成すると共に合成樹脂剤で形成されたピンプラグカバーと、このピンプラグカバーの先端面に形成されたＯリング取付突起と、このＯリング取付突起に外装されたＯリングと、前記ピンプラグカバーの先端部外周に形成された第１連結固定キャップストッパーと、前記ピンプラグカバーの中間部外周に形成された第２連結固定キャップストッパーと、前記ピンプラグカバーの先端面に形成されたピンプラグ収容部と、このピンプラグ収容孔に収容された１個のピンプラグと、前記ピンプラグカバーの外側に前記第１連結固定キャップストッパーと第２連結固定キャップストッパーに挟まれた状態で移動可能に取り付けられた連結固定キャップと、この連結固定キャップに貫通形成されると共に前記オネジ部と螺合可能なメネジ部と、を有してなることを特徴としている。
【考案の効果】
【０００５】
本考案は、ピンジャック本体とピンプラグ本体の間が確実にシールされるのでピンジャックコネクタに雨水等が浸入するのを防止することができるという優れた効果を有する。
また、本考案は、ピンジャック本体とピンプラグ本体を簡単に連結することができるという優れた効果を有する。
【考案を実施するための最良の形態】
【０００６】
考案を実施するために最良の形態の例として以下のような実施例を示す。
【実施例１】
【０００７】
図１〜図４には本考案に係る防水ピンジャックコネクタの一実施例が示されている。
図１〜図４に示されるように、実施例の防水ピンジャックコネクタ１０は第１ケーブル１に取り付けられるピンジャック本体１２と第２ケーブル２に取り付けられるピンプラグ本体１４を備えている。
図２に示されるように、前記ピンジャック本体１２の合成樹脂剤で形成されたピンジャックカバー１６の軸心部には前記第１ケーブル１が挿入されている。また、前記ピンジャックカバー１６の先端面１８には有底のピンジャック収容部２０が形成されている。前記ピンジャックカバー１６の先端部は少し小径になってオネジ部２２が形成されている。
前記ピンジャック収容部２０には金属製のピンジャック２４が嵌入して取り付けられている。このピンジャック２４の先端面には有底のピンプラグ挿入部２６が１個形成されている。前記ピンジャック２４の後端部には前記第１ケーブル１が接続されている。
前記ピンプラグ本体１４の合成樹脂剤で形成されたピンプラグカバー３０には前記第２ケーブル２が挿入されている。このピンプラグカバー３０の先端面３２にはシール部材取付部としてのＯリング取付突起３４が形成されている。このＯリング取付突起３４には弾力性のある合成樹脂で形成されたシール部材としてのＯリング３６が密着状態で外装されている。
前記ピンプラグカバー３０の先端部には環状の第１連結固定キャップストッパー３８が突設されている。また、前記ピンプラグカバー３０の中間部外周には第２連結固定キャップストッパー４０が周方向に沿って複数突出して形成されている。
図２に示されるように、この第２連結固定キャップストッパー４０は三角形状に形成されている。
前記ピンプラグカバー３０の先端面３２には有底のピンプラグ収容部４２が形成されている。このピンプラグ収容孔４２には金属製のピンプラグ４４が嵌入して取り付けられている。このピンプラグ４４の先端部は前記ピンプラグ挿入部２６に密着状態で挿入されるようになっている。また、前記ピンプラグ４４の後端部には前記第２ケーブル２が接続されている。
図１に示されるように、前記ピンプラグカバー３０の外側には筒状の連結固定キャップ５０が長手方向（図１左右方向）移動可能に取り付けられている。この連結固定キャップ５０は前記第１連結固定キャップストッパー３８と第２連結固定キャップストッパー４０によって挟まれて前記ピンプラグカバー３０から簡単に脱落しないようになっている。なお、連結固定固定キャップ５０の後開口部５２の内径寸法は前記第１連結固定キャップストッパー３８、第２連結固定キャップストッパー４０の外径寸法よりも少し小さく形成されている。
従って、前記連結固定キャップ５０を前記第１連結固定キャップストッパー３８と第２連結固定キャップストッパー４０の間に配設すると連結固定キャップ５０は第１連結固定キャップストッパー３８と第２連結キャップストッパー４０に挟まれて前記ピンプラグカバー３０から簡単に脱落しないようになっている。
図２に示されるように、前記連結固定キャップ５０にはメネジ部５４が貫通形成されている。
図１に示されるように、このメネジ部５４は前記ピンジャックカバー１６のオネジ部２２と螺合するようになっている。従って、連結固定キャップ５０にはメネジ部５４が前記ピンジャックカバー１６のオネジ部２２と螺合するとピンジャック本体１２とピンプラグ本体１４は連結固定するようになっている。
また、前記ピンジャック本体１２とピンプラグ本体１４を連結するとＯリング３６がピンジャック本体１２の先端面１８と密着当接するので、前記ピンジャック本体１２とピンプラグ本体１４の間が完全にシールされる。
【０００８】
実施例の防水ピンジャックコネクタ１０の作用について説明する。
実施例の防水ピンジャックコネクタ１０により第１ケーブル１と第２ケーブル２を接続する場合は、ピンジャック本体１２のピンジャック２４のピンプラグ挿入部２６にピンプラグ本体１４のピンプラグ４４を差し込む。これにより、前記第１ケーブル１と前記第２ケーブル２を接続することができる。なお、実施例の防水ピンジャックコネクタ１０は前記ピンジャック本体１２に１個だけ設けられているピンプラグ挿入部２６にピンプラグ本体１４の単一のピンプラグ４４を差し込むだけでよいので、作業者が見え難いところで第１ケーブル１と第２ケーブル２を接続する場合であっても簡単に前記第１ケーブル１と前記第２ケーブル２を接続することができる。
そして、前記連結固定キャップ５０を回転させて連結固定キャップ５０のメネジ部５４と前記ピンジャックカバー１６のオネジ部２２と螺合し、連結固定キャップ５０の後開口部５２が第１連結固定キャップストッパー３８に当接して連結固定キャップ５０が動かなくなるまで連結固定キャップ５０を回転させる。これによりピンジャック本体１２とピンプラグ本体１４は連結固定する。
また、前記ピンジャックカバー本体１２とピンプラグカバー本体１４を連結させるとピンプラグカバー３０の先端面３２に設けられているＯリング３６がピンジャックカバー１６の先端面１８と密着当接するので、ピンジャックカバー本体１２とピンプラグカバー本体１４の間は完全にシールされることになる。
従って、防水ピンジャックコネクタ１０を屋外に置いた場合等に雨等が降っても防水ピンジャックコネクタ１０の中に雨水が侵入することを確実に防止することができる。
また、これにより、前記防水ピンジャックコネクタ１０を屋外に置いた場合等に雨等が降ってもショートする等の不具合を確実に防止することができる。
【０００９】
なお、実施例では防水ピンジャックコネクタ１０を第１ケーブル１と第２ケーブル２を接続する場合を例にして説明したが、防水ピンジャックコネクタ１０は他の用途に使用してもよいことは勿論である。
また、実施例ではシール部材としてＯリング３６を示したが、シール部材はＯリング３６に限定されるものでないことは勿論である。
【図面の簡単な説明】
【００１０】
【図１】実施例の防水ピンジャックコネクタの使用状態を示す縦断面図である。
【図２】実施例の防水ピンジャックコネクタのピンジャック本体とピンプラグ本体を離間させた状態の縦断面図である。
【図３】実施例の防水ピンジャックコネクタの一部分解斜視図である。
【図４】実施例の防水ピンジャックコネクタの使用状態を示す側面図である。
【符号の説明】
【００１１】
１０    防水ピンジャックコネクタ
１２    ピンジャック本体
１４    ピンプラグ本体
１６    ピンジャックカバー
１８    先端面
２０    ピンジャック収容部
２２    オネジ部
２４    ピンジャック
２６    ピンプラグ挿入部
３０    ピンプラグカバー
３４    Ｏリング取付突起
３６    Ｏリング
３８    第１連結固定キャップストッパー
４０    第２連結固定キャップストッパー
４２    ピンプラグ収容部
４４    ピンプラグ
５０    連結固定キャップ
５４    メネジ部
【図１】
0003144613.tif 000003
【図２】
0003144613.tif 000004
【図３】
0003144613.tif 000005
【図４】
0003144613.tif 000006